【事件の表示】
　特許第２９３８３６３号「情報記憶再生装置」の請求項１、３、５に係る特許に対する特許異議の申立てについて、次のとおり決定する。
【結　論】
　訂正を認める。
　特許第２９３８３６３号の請求項１、４（訂正前の請求項１、５）に係る特許を維持する。
【理　由】
 １.手続の経緯
　本件特許第２９３８３６３号の請求項１〜５に係る発明についての出願は、平成７年４月２０日に特許出願されたものであって、平成１１年６月１１日にその特許の設定登録がなされ、その後、パイオニア株式会社より特許異議の申立がなされ、取消理由通知がなされ、その指定期間内である平成１２年７月２４日に訂正請求がなされた後、訂正拒絶理由通知がなされ、これに対して、手続補正書が提出されたものである。
２.訂正の適否
（１）補正の適否
　平成１３年２月１６日付けの手続補正書による補正は、訂正請求書の訂正の内容のうち、特許請求の範囲の請求項５を削除するものである。
　訂正請求書による特許請求の範囲の訂正は、特許時の特許請求の範囲の請求項１〜請求項５のうち請求項３を削除するとし、請求項１、請求項２、請求項４及び請求項５をそれぞれ訂正して、請求項１〜請求項４としながら、更に、請求項５を新たに追加し増項したものである。
　即ち、補正による請求項５の削除は、訂正請求書の特許請求の範囲に関する訂正事項のうち、請求項５を増項しようとする訂正事項を削除するものとみることができ、したがって、この補正は、訂正請求書の要旨を変更するものではないので、この補正を認める。
（２）補正後の訂正の内容
ア．特許請求の範囲について
（ア）請求項１に「自己調整後に、予め定める時間の経過、予め定める再生時間の経過、および予め定める再生回数の計数のうちの少なくともいずれか１つを含む予め定める経時的条件の成立または不成立を検出する経時条件検出手段」を付加し、制御手段の制御態様について、「制御手段は、経時条件検出手段を参照し、経時的条件が成立していないときには自己調整を行わないように制御すること」と訂正する。
（イ）請求項３を削除する。
（ウ）請求項４及び請求項５の項番号をそれぞれ繰り上げて「請求項３」及び「請求項４」と訂正するとともに、繰り上げ後の請求項３の引用請求項を「請求項２」と、請求項４の引用請求項を「請求項１〜３」と訂正する。
　以上の訂正によって、特許請求の範囲を以下のとおりとするものである。
「【請求項１】着脱可能な記憶媒体に情報を記憶または再生するに先立って、記憶または再生が適正に行えるように自己調整する機能を有する情報記憶再生装置において、
　記憶媒体の着脱を検知する着脱検知手段と、
　着脱検知手段からの出力に応答し、記憶媒体の装着または離脱の状態を記録しておき、記憶媒体に対する情報の記憶または再生が、その記憶媒体に対して最初であるか否かを判断する初回判断手段と、
　初回判断手段からの出力に応答し、記憶媒体に対する最初の記憶または再生の際には自己調整を行い、その記憶媒体に対する２回目以降の記憶または再生の際には自己調整を行わないように制御する制御手段と、
　
自己調整後に、予め定める時間の経過、予め定める再生時間の経過、および予め定める再生回数の計数のうちの少なくともいずれか１つを含む予め定める経時的条件の成立または不成立を検出する経時条件検出手段とを備え、　前記制御手段は、経時条件検出手段を参照し、経時的条件が成立していないときには自己調整を行わないように制御することを特徴とする情報記憶再生装置。
【請求項２】着脱可能な記憶媒体に情報を記憶または再生するに先立って、記憶または再生が適正に行えるように、予め定める複数の調整項目について自己調整する機能を有する情報記憶再生装置において、
　各調整項目の変化を記憶する変化記憶手段と、
　新たに自己調整を行うに際し、変化記憶手段を参照し、各調整項目毎の変化に基づき、複数の調整項目のうち、予め定める基準以上に変化が大きい調整項目のみ自己調整を行うように制御する制御手段とを含むことを特徴とする情報記憶再生装置。
【請求項
３
　前記制御手段は、経時条件検出手段を参照し、経時的条件が成立していないときには自己調整を行わないように制御することを特徴とする請求項
２
【請求項
４
　前記制御手段は、異常検出手段を参照し、装置の異常が検出されるとき、記憶媒体に対する次の記憶または再生に先立って自己調整を行うことを特
徴とする請求項１〜
３
イ．明細書の【発明の詳細な説明】の欄について
（ア）【０００８】を次のとおりに訂正する。
「【０００８】
【課題を解決するための手段】
　本発明は、着脱可能な記憶媒体に情報を記憶または再生するに先立って、記憶または再生が適正に行えるように自己調整する機能を有する情報記憶再生装置において、
　記憶媒体の着脱を検知する着脱検知手段と、
　着脱検知手段からの出力に応答し、記憶媒体の装着または離脱の状態を記録しておき、記憶媒体に対する情報の記憶または再生が、その記憶媒体に対して最初であるか否かを判断する初回判断手段と、
　初回判断手段からの出力に応答し、記憶媒体に対する最初の記憶または再生の際には自己調整を行い、その記憶媒体に対する２回目以降の記憶または再生の際には自己調整を行わないように制御する制御手段と、
　
自己調整後に、予め定める時間の経過、予め定める再生時間の経過、および予め定める再生回数の計数のうちの少なくともいずれか１つを含む予め定める経時的条件の成立または不成立を検出する経時条件検出手段とを備え、　前記制御手段は、経時条件出手段を参照し、経時的条件が成立していないときには自己調整を行わないように制御することを特徴とする情報記憶再生装置
　本発明は、着脱可能な記憶媒体に情報を記憶または再生するに先立って、記憶または再生が適正に行えるように、予め定める複数の調整項目について自己調整する機能を有する情報記憶再生装置において、
　各調整項目の変化を記憶する変化記憶手段と、
　新たに自己調整を行うに際し、変化記憶手段を参照し、各調整項目毎の変化に基づき、複数の調整項目のうち、予め定める基準以上に変化が大きい調整項目のみ自己調整を行うように制御する制御手段とを含むことを特徴とする情報記憶再生装置である。
　本発明は、自己調整後に、予め定める時間の経過、予め定める再生時間の経過、および予め定める再生回数の計数のうちの少なくともいずれか１つを含む予め定める経時的条件の成立または不成立を検出する経時条件検出手段を備え、
　前記制御手段は、経時条件検出手段を参照し、経時的条件が成立していないときには自己調整を行わないように制御することを特徴とする。
　本発明は、装置の異常を検出する異常検出手段を備え、
　前記制御手段は、異常検出手段を参照し、装置の異常が検出されるとき、記憶媒体に対する次の記憶または再生に先立って自己調整を行うことを特徴とする。
　本発明は、
着脱可能な記憶媒体に情報を記憶または再生するに先立って、記憶または再生が適正に行えるように自己調整する機能を有する情報記憶再生装置において、　記憶媒体の着脱を検知する着脱検知手段と、　着脱検知手段からの出力に応答し、記憶媒体の装着または離脱の状態を記録しておき、記憶媒体に対する情報の記憶または再生が、その記憶媒体に対して最初であるか否かを判断する初回判断手段と、　初回判断手段からの出力に応答し、記憶媒体に対する最初の記憶または再生の際には自己調整を行し、その記憶媒体に対する２回目以降の記憶または再生の際には自己調整を行わないように制御する制御手段と、　読取り光線のフォーカスはずれ、トラックのサーチや信号読込みができなくなることを
として
と
　前記制御手段は、異常検出手段を参照し、装置の異常が検出されるとき、記憶媒体に対する次の記憶または再生に先立って自己調整を行うことを特徴とする情報記憶再生装置である。」
（イ）【００１１】を削除する。
（ウ）【００１３】を次のとおりに訂正する。
「【００１３】
　また本発明に従えば、装置の異常検出手段が検出すると、制御手段は次の記憶媒体に対する記憶または再生に先立って自己調整を行う。異常が検出されるときには確実に自己調整を行って、適正な状態で情報の記憶や再生を行うことができる。
装置の異常としては、読取り光線のフォーカスはずれ、トラックのサーチや信号読込みができなくなることであってもよい。
（エ）【００２４】を削除する。
（オ）【００２５】を次のとおりに訂正する。
「【００２５】
　
図４
３
　時間経過は、図１のタイマ回路１８によって計測する。経過時間が基準よりも短いときには、ステップｄ３に移り、メモリ１９に記憶されている前回調整値を用いて調整部分の設定を行う。ステップｄ２で再調整時間が経過していると判断されるときには、ステップｄ４に移り、自己調整を実施する。自己調整を実施する調整項目については、複数の調整項目の全部を実施してもよく、図３の実施例のように全部あるいは一部が切換可能であってもよい。ステップｄ５では調整結果をメモリ１９に記憶し、ステップｄ６では、タイマ１８の経過時間を初期化し、再び経過時間の計測を開始する。ステップｄ３あるいはｄ６の動作が終了すると、ステップｄ７で演奏を開始し、ステップｄ８で動作を終了する。これによって、光学ピックアップ内のレンズを支えるばねなど、経過時間や温度で変化する部材に起因する当該機器の経時的変化を調整することができる。」
（カ）【００２６】を次のとおりに訂正する。
「【００２６】
　図
５
６
４
５
（キ）【００２７】を次のとおりに訂正する。
「【００２７】
　ステップｅ７の演奏開始後には、図
６
５
（ク）【００２８】を次のとおりに訂正する。
「【００２８】
　図
７
５
（ケ）【００２９】を次のとおりに訂正する。
「【００２９】
　以上説明した第
３
４
５
３
４
５
（コ）【００３０】を次のとおりに訂正する。
「【００３０】
　図
８
９
６
５
（サ）【００３１】を次のとおりに訂正する。
「【００３１】
　図
９
（シ）【００３５】を削除する。
（ス）【００３７】を次のとおりに訂正する。
「【００３７】
　さらにまた本発明によれば、装置の異常が検出されるときには、次に記憶媒体から情報の記憶や再生を行う際に先立って自己調整を行うので、適正な条件に調整された状態で確実な情報の記憶や再生を行うことができる。
装置の異常としては、読取り光線のフォーカスはずれ、トラックのサーチや信号読込みができなくなることであってもよい。
ウ．明細書の【図面の簡単な説明】を次のとおりに訂正する。
「【図面の簡単な説明】
【図１】
　本発明の第１実施例の電気的構成を示すブロック図である。
【図２】
　本発明の第１実施例の動作を示すフローチャートである。
【図３】
　本発明の第２実施例の動作を示すフローチャートである。
【図４】
　本発明の第３実施例の動作を示すフローチャートである。
【図５】
　本発明の第４実施例の動作を示すフローチャートである。
【図６】
　
第４実施例における演奏の正味時間経過の計測法
【図
７
　本発明の第
５
【図
８
　本発明の第
６
【図
９
　本発明の第
６
【符号の説明】
ｌ　ＭＤ
２　着脱検知手段
４　光学ヘッド
６　信号変換回路
７　トラッキングエラー検出回路
８　フオーカスエラー検出回路
９　ディスク回転サーボ回路
１０　トラッキングサーボ回路
１１　マイクロコンピュータ
１２　ピックアップ送りサーボ回路
１３　フオーカスサーボ回路
１７　操作キー
１８　タイマ回路
１９　メモリ
２０　温度検出回路」
エ．図面について
　図面の図４を削除し、図５〜図１０を、図４〜図９に訂正する。
（３）訂正の適否
ア．訂正の目的の適否、新規事項の有無及び拡張・変更の存否
　前記（２）ア．（ア）の請求項１についての訂正は、経時条件検出手段を付加し、制御手段の制御態様を具体的に限定したものであって、特許請求の範囲の減縮を目的とするものである。
　同じく（イ）の請求項３を削除する訂正は、特許請求の範囲の減縮を目的とするものであり、同じく（ウ）の請求項４及び請求項５についての訂正は、項番号を繰り上げたものであり、明りょうでない記載の釈明を目的とするものである。
　前記（２）イ．の発明の詳細な説明の欄についての各訂正、ウ．の図面の簡単な説明についての訂正及びエ．の図面についての訂正は、特許請求の範囲の記載の訂正に対応してなされるものであって、明りょうでない記載の釈明を目的とするものである。
　そして、いずれも、新規事項の追加に該当せず、実質上特許請求の範囲を拡張し、又は変更するものでもない。
　以上のとおりであるから、前記訂正請求は、特許法第１２０条の４第２項の規定及び同条第３項で準用する第１２６条第２〜３項の規定に適合するので、当該訂正を認める。
３.特許異議の申立についての判断
（１）申立の理由の概要
　申立人は、甲第１号証として、特開平７−５７２７６号公報（平成７年３月３日公開）（以下、刊行物という）を提示して、本件請求項１（訂正後の請求項１）、請求項３（削除された）及び請求項５（訂正後の請求項４）に係る発明は、いずれも刊行物記載の発明に基づいて容易に発明し得たものであるとして、上記各請求項に係る発明に対してなされた特許は、特許法第２９条第２項の規定に違反してなされたものであるから、特許を取り消すべきである旨主張している。
（２）本件請求項１、４に係る発明
　本件請求項１、４に係る発明は、訂正明細書及び図面の記載からみて、訂正後の特許請求の範囲の請求項１、４に記載されのとおりのものである（２.訂正の適否（２）ア．の【請求項１】、【請求項４】）。
（３）刊行物の記載
　刊行物には、ピックアップサーボ系の自動調整方法に関する発明について、以下の記載がある。
・特許請求の範囲に、
「【請求項１】
　セットに装填されるディスクを初めて演奏するとき、及び、セットに装填済のディスクを再演奏するときに、ピックアップサーボ系を調整するようにしたディスク演奏装置のピックアップサーボ系の自動調整方法において、
　セットに装填されるディスクを初めて演奏するときは、ピックアップサーボ系を自動調整するとともに当該調整係数を記憶しておき、
　セットに装填済のディスクを再演奏するときは、先に当該ディスクの装填時に記憶した調整係数をピックアップサーボ系に設定するようにしたこと、
　を特徴とするピックアップサーボ系の自動調整方法。
【請求項２】
　セットに装填されるディスクを初めて演奏するとき、及び、セットに装填済のディスクを再演奏するときに、ピックアップサーボ系を調整するようにしたディスク演奏装置のピックアップサーボ系の自動調整方法において、
　セットに装填されるディスクを初めて演奏するときは、ピックアップサーボ系を自動調整するとともに温度を測り、当該調整係数と温度を記憶しておき、
　セットに装填済のディスクを再演奏するときは、再度温度を測り、前回の自動調整時に記憶した温度に対し一定範囲内にあるときは前回自動調整時に記憶した調整係数をピックアップサーボ系に設定し、今回測った温度が前回自動調整時に記憶した温度に対し一定範囲外にあるときは改めてピックアップサーボ系の自動調整を行うとともに、当該調整係数と今回測った温度を記憶するようにしたこと、
　を特徴とするピックアップサーボ系の自動調整方法。
【請求項３】
　セットに装填されるディスクに対し、ピックアップサーボ系を調整して演奏するようにしたディスク演奏装置のピックアップサーボ系の自動調整方法において、
　セットに新規のディスクが装填されるとき、ピックアップサーボ系の自動調整をして当該調整係数をディスク別に記憶しておき、
　過去に装填されたことのあるディスクがセットに装填されるとき、当該ディスクについて記憶された調整係数をピックアップサーボ系に設定するようにしたこと、を特徴とするピックアップサーボ系の自動調整方法。
【請求項４】
　セットに装填されるディスクに対し、ピックアップサーボ系を調整して演奏するようにしたディスク演奏装置のピックアップサーボ系の自動調整方法において、
　セットに新規のディスクが装填されるとき、ピックアップサーボ系の自動調整をするとともに温度を測り、当該調整係数と温度をディスク別に記憶しておき、
　過去に装填されたことのあるディスクがセットに装填されるとき、温度を測り、当該ディスクについて前回の自動調整時に記憶された温度に対し一定範囲内にあるとき、当該ディスクについて記憶された調整係数をピックアップサーボ系に設定し、今回測った温度が前回自動調整時に記憶した温度に対し一定範囲外にあるときは改めてピックアップサーボ系の自動調整を行い、当該調整係数と今回測った温度をディスク別に記憶するようにしたこと、
  を特徴とするピックアップサーボ系の自動調整方法。」
・【００２９】〜【００３９】に、図２及び図４を用いてのシステムコントローラ１９Ｂとサーボコントローラ１６Ｂによってなされるサーボの立ち上げを含む自動調整処理の流れ図にしたがっての説明。
・【００４２】〜【００４４】に、図５及び図６を用いての第２実施例に係るピックアップサーボ系の自動調整方法を具現した車載用ＣＤプレーヤの全体構成図についての説明
・【００４５】〜【００５２】に、図７及び図８を用いてのシステムコントローラ１９Ｂとサーボコントローラ１６Ｂによってなされる自動調整処理の流れ図にしたがっての説明
・【００５７】以下の【発明の効果】の項に
「セットに装填済のディスクを再演奏する際、単に、装填時に自動調整したときの調整係数をピックアップサーボ系に設定するだけで済み、個々の項目につき自動調整しなくて良いので、再演奏の開始までユーザが長く待たされることはなくなり、しかも、当該ディスクに対し、ほぼ最適調整状態となるので良好なプレーアビリティを確保できる。」
「再演奏する際の温度が一定範囲を越えていれば、自動調整を再度行うので、温度依存性の高いピックアップサーボ系を最適状態にして、再演奏時における極めて良好なプレーアビリティを確保することができる。」
「過去に聴取したディスクを再びセットに装填するとき、単に、過去に自動調整したときの調整係数をピックアップサーボ系に設定するだけで済み、演奏開始までユーザが長く待たされることはなくなり、しかも、当該ディスクに対し、ほぼ最適調整状態となるので比較的良好なプレーアビリティを確保できる。」
（４）判断
［請求項１に係る発明について］
　本件請求項１に係る発明も刊行物記載の発明も、いずれも着脱可能な記憶媒体を記憶又は再生するに際して、記憶又は再生が適正に行えるよう装置を調整しようとするものである。
　そして、記憶媒体に対して始めて記憶又は再生を行う場合には、調整を実行するのに対して、同じ記憶媒体に対して２回目以降の記憶又は再生を行う場合には、調整を省略する点でも共通するものである。
　しかしながら、本件請求項１に係る発明が、自己調整後に、予め定める時間の経過、予め定める再生時間の経過、および予め定める再生回数の計数のうちの少なくともいずれか１つを含む予め定める経時的条件の成立または不成立を検出する経時条件検出手段を備えると共に、制御手段が、経時条件検出手段を参照し、経時的条件が成立していないときには自己調整を行わないように制御する制御態様を採用しているのに対して、刊行物記載の発明は、このような経時的条件検出手段を備えてなく、このような制御態様を採用していない点で相違している。
　そして、上記経時的条件検出手段及び制御手段の制御態様については、刊行物のいずれにも見いだせず、刊行物の記載から容易に創出し得る範囲内のものともいうこともできない。
　結局、本件請求項１に係る発明は、刊行物記載の発明に基づいて容易に発明し得たということはできない。
［請求項４について］
　請求項４に係る発明は、請求項１〜３を引用するものであり、請求項１を引用する範囲においては、請求項１に係る発明が備える前記経時条件検出手段及び制御態様を要件とするものであり、前記［請求項１について］のとおり、刊行物記載の発明に基づいて容易に発明し得たということはできない。
　請求項２及び請求項３を引用する範囲においては、
　各請求項が有する「各調整項目の変化を記憶する変化記憶手段と、
　新たに自己調整を行うに際し、変化記憶手段を参照し、各調整項目毎の変化に基づき、複数の調整項目のうち、予め定める基準以上に変化が大きい調整項目のみ自己調整を行うように制御する制御手段とを含む」点については、刊行物記載のいずれにも見いだせず、刊行物の記載から容易に創出し得る範囲内のものともいうこともできない。
（５）むすび
　以上のとおりであるから、特許異議申立ての理由及び証拠によっては、本件請求項１、４に係る発明についての特許を特許法第２９条第２項の規定に違反しているとして取り消すことはできない。
　又、他に本件請求項１、４に係る発明についての特許を取り消すべき理由を発見しない。
　よって、結論のとおり決定する。　　
【異議決定日】
平成１３年３月２６日（２００１．３．２６）
【訂正の要旨】
　訂正の要旨
１．特許請求の範囲の請求項１において、「その記憶媒体に対する２回目以降の記憶または再生の際には自己調整を行わないように制御する制御手段とを含むことを特徴とする情報記憶再生装置。」とあるを、特許請求の範囲の減縮を目的として、「その記憶媒体に対する２回目以降の記憶または再生の際には自己調整を行わないように制御する制御手段と、自己調整後に、予め定める時間の経過、予め定める再生時間の経過、および予め定める再生回数の計数のうちの少なくともいずれか１つを含む予め定める経時的条件の成立または不成立を検出する経時条件検出手段とを備え、前記制御手段は、経時条件検出手段を参照し、経時的条件が成立していないときには自己調整を行わないように制御することを特徴とする情報記憶再生装置。」と訂正する。
２．特許請求の範囲の請求項３を、特許請求の範囲の減縮を目的として削除する。
３．特許請求の範囲の請求項４において、明りょうでない記載の釈明を目的として、その項番号を「請求項３」とすると共に、その中で引用している「請求項１〜３」を「請求項２」と訂正する。
４．特許請求の範囲の請求項５において、明りょうでない記載の釈明を目的として、その項番号を「請求項４」とすると共に、その中で引用している「請求項１〜４」を「請求項１〜３」と訂正する。
５．特許明細書の段落【０００８】において、「その記憶媒体に対する２回目以降の記憶または再生の際には自己調整を行わないように制御する制御手段とを含むことを特徴とする情報記憶再生装置である。」及び「さらにまた本発明は、装置の異常を検出する異常検出手段を備え、」とあるのを、明りょうでない記載の釈明を目的として、
　「その記憶媒体に対する２回目以降の記憶または再生の際には自己調整を行わないように制御する制御手段と、
　自己調整後に、予め定める時間の経過、予め定める再生時間の経過、および予め定める再生回数の計数のうちの少なくともいずれか１つを含む予め定める経時的条件の成立または不成立を検出する経時条件検出手段とを備え、前記制御手段は、経時条件出手段を参照し、経時的条件が成立していないときには自己調整を行わないように制御することを特徴とする情報記憶再生装置である。」及び
　「本発明は、着脱可能な記憶媒体に情報を記憶または再生するに先立って、記憶または再生が適正に行えるように自己調整する機能を有する情報記憶再生装置において、記憶媒体の着脱を検知する着脱検知手段と、着脱検知手段からの出力に応答し、記憶媒体の装着または離脱の状態を記録しておき、記憶媒体に対する情報の記憶または再生が、その記憶媒体に対して最初であるか否かを判断する初回判断手段と、初回判断手段からの出力に応答し、記憶媒体に対する最初の記憶または再生の際には自己調整を行し、その記憶媒体に対する２回目以降の記憶または再生の際には自己調整を行わないように制御する制御手段と、　読取り光線のフォーカスはずれ、トラックのサーチや信号読込みができなくなることを装置の異常として検出する異常検出手段とを備え、」と訂正する。
６．特許明細書の段落【００１１】、【００２４】及び【００３５】を、明りょうでない記載の釈明を目的として、削除する。
７．特許明細書の段落【００１３】において、「適正な状態で情報の記憶や再生を行うことができる。」とあるのを、明りょうでない記載の釈明を目的として、「適正な状態で情報の記憶や再生を行うことができる。装置の異常としては、読取り光線のフォーカスはずれ、トラックのサーチや信号読込みができなくなることであってもよい。」と訂正する。
８．特許明細書の段落【００２５】において、「図５は、本発明の第４実施例の動作を示す。本実施例も図１と同様の構成に基づいて行われる。」とあるのを、明りょうでない記載の釈明を目的として、「図４は、本発明の第３実施例の動作を示す。本実施例も図１と同様の構成に基づいて行われる。」と訂正する。
９．特許明細書の段落【００２６】において、「図６および図７は、本発明の第５実施例による動作を示す。本実施例の動作も図１と同様の構成に基づいて行われる。図６では、ステップｅ１から動作を開始し、」とあるのを、明りょうでない記載の釈明を目的として、「図５および図６は、本発明の第４実施例による動作を示す。本実施例の動作も図１と同様の構成に基づいて行われる。図５では、ステップｅｌから動作を開始し、」と訂正する。
１０．特許明細書の段落【００２７】において、「ステップｅ７の演奏開始後には、図７に示されるタイマ１８の経過時間の測定動作が行われる。」及び「ステップｆ１からステップｆ５までの動作は、図６のステップｅ６で計測を開始した後、次に初期化されるまでの間継続して行われる。」とあるのを、明りょうでない記載の釈明を目的として、「ステップｅ７の演奏開始後には、図６に示されるタイマ１８の経過時間の測定動作が行われる。」及び「ステップｆｌからステップｆ５までの動作は、図５のステップｅ６で計測を開始した後、次に初期化されるまでの間継続して行われる。」と訂正する。
１１．特許明細書の段落【００２８】において、「図８は、本発明の第６実施例の動作を示す。」とあるのを、明りょうでない記載の釈明を目的として、「図７は、本発明の第５実施例の動作を示す。」と訂正する。
１２．特許明細書の段落【００２９】において、「以上説明した第４、第５および第６実施例では、一定の経時的条件が満たされた後で自己調整を行う。経時的条件は、第４実施例では単純な経過時間であり、第５実施例では正味の演奏時間であり、第６実施例では演奏回数である。」とあるのを、明りょうでない記載の釈明を目的として、「以上説明した第３、第４および第５実施例では、一定の経時的条件が満たされた後で自己調整を行う。経時的条件は、第３実施例では単純な経過時間であり、第４実施例では正味の演奏時間であり、第５実施例では演奏回数である。」と訂正する。
１３．特許明細書の段落【００３０】において、「図９および図１０は、本発明の第７実施例の動作を示す。」及び「たとえば第１〜第６実施例のように、」とあるのを、明りょうでない記載の釈明を目的として、「図８および図９は、本発明の第６実施例の動作を示す。」及び「たとえば第１〜第５実施例のように、」と訂正する。
１４．特許明細書の段落【００３１】において、「図１０は、異常発生フラグの処理に関連する動作を示す。」とあるのを、明りょうでない記載の釈明を目的として、「図９は、異常発生フラグの処理に関連する動作を示す。」と訂正する。
１５．特許明細書の段落【００３７】において、「適正な条件に調整された状態で確実な情報の記憶や再生を行うことができる。」とあるのを、明りょうでない記載の釈明を目的として、「適正な条件に調整された状態で確実な情報の記憶や再生を行うことができる。装置の異常としては、読取り光線のフォーカスはずれ、トラックのサーチや信号読込みができなくなることであってもよい。」と訂正する。
１６．特許明細書の【図面の簡単な説明】において、
　「【図６】
　本発明の第５実施例の動作を示すフローチャートである。
　【図７】
　第５実施例における演奏の正味時間経過の計測法を示すフローチャートである。
　【図８】
　本発明の第６実施例の動作を示すフローチャートである。
　【図９】
　本発明の第７実施例の動作を示すフローチャートである。
　【図１０】
　本発明の第７実施例における異常発生時の動作を示すフローチャートである」とあるのを、明りょうでない記載の釈明を目的として、
　「【図６】
　第４実施例における演奏の正味時間経過の計測法を示すフローチャートである。
　【図７】
　本発明の第５実施例の動作を示すフローチャートである。
　【図８】
　本発明の第６実施例の動作を示すフローチャートである。
　【図９】
　本発明の第６実施例における異常発生時の動作を示すフローチャートである。」と訂正する。
１７．図面において、明りょうでない記載の釈明を目的として、図４を削除すると共に、「図５〜図１０」の図面番号を「図４〜図９」と訂正する。
（５４）【発明の名称】
情報記憶再生装置
（５７）【特許請求の範囲】
　【請求項１】　着脱可能な記憶媒体に情報を記憶または再生するに先立って、記憶または再生が適正に行えるように自己調整する機能を有する情報記憶再生装置において、
　記憶媒体の着脱を検知する着脱検知手段と、
　着脱検知手段からの出力に応答し、記憶媒体の装着または離脱の状態を記録しておき、記憶媒体に対する情報の記憶または再生が、その記憶媒体に対して最初であるか否かを判断する初回判断手段と、
　初回判断手段からの出力に応答し、記憶媒体に対する最初の記憶または再生の際には自己調整を行い、その記憶媒体に対する２回目以降の記憶または再生の際には自己調整を行わないように制御する制御手段と、
　
自己調整後に、予め定める時間の経過、予め定める再生時間の経過、および予め定める再生回数の計数のうちの少なくともいずれか１つを含む予め定める経時的条件の成立または不成立を検出する経時条件検出手段とを備え、
　
前記制御手段は、経時条件検出手段を参照し、経時的条件が成立していないときには自己調整を行わないように制御することを特徴とする情報記憶再生装置。
　【請求項２】　着脱可能な記憶媒体に情報を記憶または再生するに先立って、記憶または再生が適正に行えるように、予め定める複数の調整項目について自己調整する機能を有する情報記憶再生装置において、
　各調整項目の変化を記憶する変化記憶手段と、
　新たに自己調整を行うに際し、変化記憶手段を参照し、各調整項目毎の変化に基づき、複数の調整項目のうち、予め定める基準以上に変化が大きい調整項目のみ自己調整を行うように制御する制御手段とを含むことを特徴とする情報記憶再生装置。
　【請求項
３
　前記制御手段は、経時条件検出手段を参照し、経時的条件が成立していないときには自己調整を行わないように制御することを特徴とする請求項２に記載の情報記憶再生装置。
　【請求項
４
　前記制御手段は、異常検出手段を参照し、装置の異常が検出されるとき、記憶媒体に対する次の記憶または再生に先立って自己調整を行うことを特徴とする請求項１〜
３
【発明の詳細な説明】
　【０００１】
　【産業上の利用分野】本発明は、光学的にあるいは磁気的に、ディスク状またはテープ状などの記憶媒体に情報を記憶したり、記憶された情報を再生したりする情報記憶再生装置に関する。
　【０００２】
　【従来の技術】従来から、いわゆるミニディスク（以下「ＭＤ」と略称する）などのような光学的に情報を再生したり磁気的に情報を記録したりする情報記憶再生装置では、ディスク状記憶媒体の表面にレーザビームを照射して、反射光から信号を光学的に読み取ったり、情報を磁気的に書き込むための加熱を行ったりする。ディスク状記憶媒体に高密度に情報を記憶したり、高密度で記憶されている情報を読み出したりするためには、光学系の焦点や照射位置を正確に調整する必要がある。
　【０００３】
　このため、ＭＤなどの光学ディスク再生装置では、各種サーボ制御が行われている。たとえば、光ピックアップが記憶媒体の信号記録部に追従するように制御するトラッキングサーボや、光学系の焦点を合わせるフォーカスサーボや、ディスク状記憶媒体の回転速度を制御するディスク回転サーボや、操作者によって指定される情報記憶場所に光ピックアップを移動させて情報の再生や記憶を行うための送りサーボなどがある。
　【０００４】
　オートフォーカスに関連する先行技術は、たとえば特開昭５９−３６３３３に開示されている。トラッキングサーボについての先行技術は、たとえば特開平３−１０５７２７に開示されている。サーボ制御回路の利得を自動的に調整する先行技術は、たとえば特開平３−２５９４２７や特開平５−８９６１９などに開示されている。自己調整をディスク再生装置の再生開始時などに定期的に行う先行技術は、たとえば特開平６−２４３４９６に開示されている。また、記憶媒体からの再生や記憶動作中の一時的な停止期間にも調整を行う先行技術は特開平６−３０２１０４に開示されている。
　【０００５】
　【発明が解決しようとする課題】
　ＭＤなどの高密度の記憶媒体から情報を再生したり情報を記憶したりする情報記憶再生装置においては、記憶媒体の特性のばらつきや機器の経時変化を防止するために各種サーボ制御機構を備え、その自己調整機能を有している。ＭＤディスクから適正な条件で記憶内容の再生を行うときには、各種サーボ制御部分が好ましい状態に調整されている必要がある。
　【０００６】
　しかしながら、前述の特開平６−２４３４９６のようにディスク再生開始時などに定期的に自己調整を行うと時間がかかり、ＭＤディスク再生装置などのユーザが演奏開始を指示しても、演奏が開始されて音声が出力されるまでに要する時間が長くなるという不都合が生じる。さらに特開平６−３０２１０４の先行技術のように、記憶または再生動作中の光学ヘッドの一時停止期間においても自己調整が行われると、ユーザにとっては休止時間が延長されることとなり、待ち時間が多くなる。
　【０００７】
　本発明の目的は、自己調整に要する時間を削減し、ユーザの操作に迅速に応答することができる情報記憶再生装置を提供することである。
　【０００８】
　【課題を解決するための手段】
　本発明は、着脱可能な記憶媒体に情報を記憶または再生するに先立って、記憶または再生が適正に行えるように自己調整する機能を有する情報記憶再生装置において、
　記憶媒体の着脱を検知する着脱検知手段と、
　着脱検知手段からの出力に応答し、記憶媒体の装着または離脱の状態を記録しておき、記憶媒体に対する情報の記憶または再生が、その記憶媒体に対して最初であるか否かを判断する初回判断手段と、
　初回判断手段からの出力に応答し、記憶媒体に対する最初の記憶または再生の際には自己調整を行い、その記憶媒体に対する２回目以降の記憶または再生の際には自己調整を行わないように制御する制御手段と、
　
自己調整後に、予め定める時間の経過、予め定める再生時間の経過、および予め定める再生回数の計数のうちの少なくともいずれか１つを含む予め定める経時的条件の成立または不成立を検出する経時条件検出手段とを備え、
　
前記制御手段は、経時条件検出手段を参照し、経時的条件が成立していないときには自己調整を行わないように制御することを特徴とする情報記憶再生装置
　本発明は、着脱可能な記憶媒体に情報を記憶または再生するに先立って、記憶または再生が適正に行えるように、予め定める複数の調整項目について自己調整する機能を有する情報記憶再生装置において、
　各調整項目の変化を記憶する変化記憶手段と、
　新たに自己調整を行うに際し、変化記憶手段を参照し、各調整項目毎の変化に基づき、複数の調整項目のうち、予め定める基準以上に変化が大きい調整項目のみ自己調整を行うように制御する制御手段とを含むことを特徴とする情報記憶再生装置である。
　本発明は、自己調整後に、予め定める時間の経過、予め定める再生時間の経過、および予め定める再生回数の計数のうちの少なくともいずれか１つを含む予め定める経時的条件の成立または不成立を検出する経時条件検出手段を備え、
　前記制御手段は、経時条件検出手段を参照し、経時的条件が成立していないときには自己調整を行わないように制御することを特徴とする。
　本発明は、装置の異常を検出する異常検出手段を備え、
　前記制御手段は、異常検出手段を参照し、装置の異常が検出されるとき、記憶媒体に対する次の記憶または再生に先立って自己調整を行うことを特徴とする。
　本発明は、
着脱可能な記憶媒体に情報を記憶または再生するに先立って、記憶または再生が適正に行えるように自己調整する機能を有する情報記憶再生装置において、
　
記憶媒体の着脱を検知する着脱検知手段と、
　
着脱検知手段からの出力に応答し、記憶媒体の装着または離脱の状態を記録しておき、記憶媒体に対する情報の記憶または再生が、その記憶媒体に対して最初であるか否かを判断する初回判断手段と、
　
初回判断手段からの出力に応答し、記憶媒体に対する最初の記憶または再生の際には自己調整を行い、その記憶媒体に対する２回目以降の記憶または再生の際には自己調整を行わないように制御する制御手段と、
　
読取り光線のフォーカスはずれ、トラックのサーチや信号読込みができなくなることを
として
と
　前記制御手段は、異常検出手段を参照し、装置の異常が検出されるとき、記憶媒体に対する次の記憶または再生に先立って自己調整を行うことを特徴とする情報記憶再生装置である。
　【０００９】
　【作用】
　本発明に従えば、記憶媒体の着脱を着脱検出手段によって検知し、新たに装着された記憶媒体に対して情報の記憶または再生を最初に行う際には、初回判断手段からの出力に応答して、制御手段は情報の記憶または再生に先立って自己調整を行う。初回判断手段が２回目以降であると判断するときには、制御手段は自己調整を行わない。同一の記憶媒体に対して、初回で自己調整を行っておけば、２回目以降の記憶または再生時には改めて自己調整を行わなくても良好な状態で情報の記憶や再生を行うことができ、自己調整を省略することによって迅速に記憶や再生を開始することができる。
　【００１０】
　また本発明に従えば、情報記憶再生装置において、複数の調整項目についての変化は、変化記憶手段に記憶される。制御手段は、新たに自己調整を行うに際し、各調整項目毎の変化に基づき、複数の調整項目のうち、予め定める基準以上に変化が大きい調整項目のみ自己調整を行う。また、変化の小さい調整項目が予めわかっている場合には、当該項目に対する調整を行わないようにしてもよい。変化が小さい調整項目については、改めて自己調整を行わなくても適正な条件での情報の記憶や再生が可能であるので、複数の調整項目全体を自己調整する場合に比較して、自己調整に要する時間を短縮し、迅速に情報の記憶や再生を開始することができる。
　【００１１】
　【００１２】
　さらにまた本発明に従えば、経時条件検出手段は、自己調整後に予め定める経時的条件の成立または不成立を検出する。経時的条件としては、たとえば単純な時間の経過や、情報の記憶や再生の正味時間の経過や、情報の記憶や再生の回数などが含まれる。このような経時的条件が進行すれば、一旦自己調整された状態からのずれが増大し、新たに自己調整を行うことが必要となる。経時的条件が成立していないときには、自己調整を行わないことによって時間短縮を図ることができる。
　【００１３】
　また本発明に従えば、装置の異常検出手段が検出すると、制御手段は次の記憶媒体に対する記憶または再生に先立って自己調整を行う。異常が検出されるときには確実に自己調整を行って、適正な状態で情報の記憶や再生を行うことができる。
装置の異常としては、読取り光線のフォーカスはずれ、トラックのサーチや信号読込みができなくなることであってもよい。
　【００１４】
　【実施例】
　図１は、本発明の第１実施例によるＭＤプレイヤの概略的な電気的構成を示す。ＭＤ１は、図示されていないローディング機構によって、ディスク搭載部に装着あるいは離脱される。着脱検知手段２は、ＭＤ１の着脱状態を検知する。ディスクモータ３は、ディスク搭載部に装着されたＭＤ１を所定の回転数で駆動する。ＭＤ１の表面には、光学ピックアップ４からレーザ光が照射され、ＭＤ１に記憶されている情報は反射光として読み取られる。光学ピックアップ４によって読み取られた情報は、プリアンプ５によって所定レベルまで増幅され、信号変換回路６に送られるとともに、トラッキングエラー検出回路７、フォーカスエラー検出回路８、およびディスク回転サーボ回路９へ入力される。
　【００１５】
　トラッキングエラー検出回路７は、光学ピックアップ４から照射される読み取り光線の焦点位置が、ＭＤ１の信号記録トラック上から内側あるいは外側に外れるトラッキングエラーを検出し、トラッキングサーボ回路１０に出力する。トラッキングサーボ回路１０は、マイクロコンピュータ１１から出力される制御信号によって、動作あるいは非動作が切換制御される。トラッキングサーボ回路１０の動作状態では、トラッキングエラー検出回路７からの信号に応答して、読み取り光線がＭＤ１の信号記録トラックを追従するように、図示されていないトラッキング調整用アクチュエータを駆動する。トラッキング調整用アクチュエータでは追従することができない大きな移動は、トラッキングエラー検出回路７からの信号に応じて、ピックアップ送りサーボ回路１２が作動することによって行われる。ピックアップ送りサーボ回路１２は、図示されていないピックアップ送り機構の送りモータを駆動して、光学ピックアップ４を所定の位置へ移動させる。
　【００１６】
　フォーカスエラー検出回路８は、読み取り光線の焦点位置がＭＤ１の信号記録トラックよりも光軸上で前方あるいは後方にずれたことを光学ピックアップ４の出力から検出し、フォーカスサーボ回路１３に出力する。フォーカスサーボ回路１３は、マイクロコンピュータ１１から出力される制御信号によって、動作あるいは非動作が切換制御される。フォーカスサーボ回路１３の動作状態では、フォーカスエラー検出回路８からの信号に応答して、光学ピックアップ４の図示されていない対物レンズを、フォーカス用アクチュエータによって光軸方向に移動させて焦点調整を行う。
　【００１７】
　ディスク回転サーボ回路９は、その内部の基準信号の周波数と光学ピックアップ４の出力信号に含まれる同期信号の周波数とが一致するように、ディスクモータ３の回転速度を制御するサーボ動作を行う。再生開始時には、所定の回転数に到達するまで、ディスクモータ３の回転が立ち上がるように駆動するキックアップ動作を行う。このようなサーボ動作とキックアップ動作との他に不動作があり、３種の動作状態はマイクロコンピュータ１１から出力される制御信号によって切換えられる。
　【００１８】
　信号変換回路６は、光学ピックアップ４からの信号に誤り訂正やＥＦＭ復調の処理を施して、デジタルオーディオ信号に変換し、図示されていないデジタルアナログ変換器を介して、アナログ系回路に出力するとともに、デジタルオーディオ信号に混合して記録されている制御用の信号であるサブコードを抽出してマイクロコンピュータ１１に出力する。また、信号変換回路６は、ＭＤ１の傷などによって信号が正常に読み取れなかったときや、抽出したサブコードに異常があるときなどに、エラー信号をマイクロコンピュータ１１に出力する。さらに信号変換回路６は、ＭＤ１に記憶するために入力されるオーディオ信号が図示されていないアナログデジタル変換器を介して変換されたデジタルオーディオ信号を入力し、ヘッド駆動回路１４を介して磁気ヘッド１５を駆動する際のデータ処理を行う。
　【００１９】
　マイクロコンピュータ１１によって行われる自己調整は、ディスク回転サーボ回路９、トラッキングサーボ回路１０、ピックアップ送りサーボ回路１２およびフォーカスサーボ回路１３などにおけるサーボ利得、サーボ回路のオフセット値や制御目標値などの設定について行われる。また、トラッキングエラーを検出するために光学ピックアップ４に備えられた２つの光学的検出素子の出力のバランスや、ディスク回転サーボ回路９の内部の基準信号の周波数などの設定についても行われる。自己調整が行われるタイミングは、ＭＤ１から新たに情報を再生する演奏開始時点や情報の記録を開始する時点が原則であるけれども、本実施例では自己調整に要する時間を短縮するために、タイマ回路１８、メモリ１９および温度検出回路２０などを参照しながら、適切なタイミングで自己調整を行う。なお、再生専用のＭＤプレイヤの場合には、磁気ヘッド１５に関連する構成は不要である。
　【００２０】
　図２は、図１の実施例の動作を示す。操作キー１７からＭＤ１を再生すべき演奏命令が入力されると、ステップａ１から動作を開始する。ステップａ２では、ＭＤ１の挿入後最初の演奏であるか否かを判断する。ＭＤ１の着脱は、着脱検知手段２によって検知され、その結果がメモリ１９に記録される。メモリ１９とともに初回判断手段を構成するマイクロコンピュータ１１は、たとえば新たなＭＤ１が装着される状態と、装着されていたＭＤ１が離脱される状態とを記録し、ＭＤ１からの再生や記憶を行うと、区別するためのデータを記録する。
　【００２１】
　ＭＤ１が装着された状態で、操作キー１７からＭＤ１の操作を開始すべき入力が与えられると、ステップａ１から動作を開始する。ステップａ２では、その操作に対応するＭＤ１からの情報の再生などがＭＤ１を挿入後最初の演奏であるか否かを判断する。着脱検知手段２は、ＭＤ１の装着あるいは離脱を検知し、新たにＭＤ１が装着されるときマイクロコンピュータ１１に検知信号を与える。マイクロコンピュータ１１は、初回判断手段であるメモリ１９にＭＤ１が新たに装着されたことを意味するデータを記録する。マイクロコンピュータ１１は、さらに操作キー１７からの入力に応答してＭＤ１の演奏を開始する際には、メモリ１９の記録内容を参照して、装着後の最初の記憶または再生であるか否かを判断する。制御手段であるマイクロコンピュータ１１は、最初の演奏であることを表すデータをメモリ１９に記録する。そのデータが既にメモリ１９に記録されているときには、マイクロコンピュータ１１は、最初の演奏ではないと判断し、ステップａ３で前回調整結果の設定値に従ってＭＤ１からの情報の再生による演奏などを行う。
　【００２２】
　ステップａ２で、ＭＤ１を挿入後に最初に演奏すると判断されるときには、ステップａ４に移り、各サーボ回路などに対する自己調整を実施する。ステップａ５では、調整結果をメモリ１９に記憶し、前述のステップａ３における前回調整結果の参照の際に利用可能とする。ステップａ５またはステップａ３が終了すると、設定値に従ってＭＤ１からの情報再生による演奏を開始し、ステップａ７で動作を終了する。
　【００２３】
　図３は、本発明の第２実施例による動作を示す。この動作は、図１と同様な電気的構成に基づいて行われる。本実施例では、自己調整を全項目にわたって実施するか一部の変化が大きい項目についてのみ実施するかを選択可能である。図１のメモリ１９には図２のステップａ５で示すように調整結果が記憶されており、複数回にわたる自己調整の結果に基づいて変化量の大きさを算出することができるようにしてもよい。ステップｂ１で動作を開始した後、ステップｂ２では、一部項目調整のモードであるか否かを判断する。一部項目調整のモードであると判断されるときには、ステップｂ３で所定の一部の調整項目についてだけ、自己調整を実施する。自己調整を行う調整項目のうち、ディスク回転サーボ回路９の基準信号の周波数やサーボ回路のオフセット値などは、値が変化しにくいことは予めわかっている。このような変化しにくい調整項目についての自己調整を省略し、サーボ利得など、ディスク交換毎に変化するような調整項目についてだけ、自己調整を行うようにしてもよい。このとき、自己調整を行わない調整項目については、工場出荷時に設定された値を設定する。また調整の際の変化量が予め定める基準よりも大きい調整項目のみ自己調整を実施するようにしてもよい。ステップｂ２で一部項目調整のモードでないと判断されるときには、ステップｂ４で全項目調整を実施する。ステップｂ３またはステップｂ４が終了すると、ステップｂ５で演奏を開始し、ステップｂ６で動作を終了する。なお、ステップｂ３およびステップｂ４の調整実施後にも調整結果をメモリ１９に記憶しておく。
　【００２４】
　【００２５】
　図
４
３
　【００２６】
　図
５
６
４
５
　【００２７】
　ステップｅ７の演奏開始後には、図
６
５
　【００２８】
　図
７
５
　【００２９】
　以上説明した第
３
４
５
３
４
５
　【００３０】
　図
８
９
６
５
　【００３１】
　図
９
　【００３２】
　以上の各実施例では、ＭＤ１に対する情報の再生あるいは記憶を行うＭＤプレイヤについて説明しているけれども、ＣＤや、ＬＤと略称されるいわゆるレーザディスクなど、情報を光学的に読み取るディスク状記録媒体を使用する情報記憶再生装置も同様に適用することができる。さらにデジタルオーディオテープ（略称「ＤＡＴ」）などのテープ状磁気記憶媒体にも、アジマス調整などの自己調整の仕様がある場合には、同様に本発明を適用することができる。
　【００３３】
　【発明の効果】
　以上のように本発明によれば、記憶媒体について最初に情報の記憶や再生を行う際には、その動作に先立って自己調整を行うので適正な条件で確実な情報の記憶や再生を行うことができる。２回目以降の記憶や再生の際には自己調整を行わないので、迅速に情報の記憶や再生を行うことができる。
　【００３４】
　また本発明によれば、自己調整の際に、複数の調整項目のうちの変化の大きい調整項目のみについて調整を行うので、変化の小さい調整項目についての自己調整も行う場合と比較して、自己調整に要する全体時間を短縮し、操作に対する迅速な応答を実現することができる。
　【００３５】
　【００３６】
　さらにまた本発明によれば、一旦自己調整が行われれば、次に自己調整が行われるのは、予め定める時間の経過、予め定める再生時間の経過、および予め定める再生回数のうちの少なくともいずれか１つを含む経時的条件が満たされた後の記憶媒体からの記憶または再生に先立つ時点であり、その間には自己調整が行われないので、操作に対して迅速な応答が可能となる。
　【００３７】
　さらにまた本発明によれば、装置の異常が検出されるときには、次に記憶媒体から情報の記憶や再生を行う際に先立って自己調整を行うので、適正な条件に調整された状態で確実な情報の記憶や再生を行うことができる。
装置の異常としては、読取り光線のフォーカスはずれ、トラックのサーチや信号読込みができなくなることであってもよい。
【図面の簡単な説明】
　【図１】
　本発明の第１実施例の電気的構成を示すブロック図である。
　【図２】
　本発明の第１実施例の動作を示すフローチャートである。
　【図３】
　本発明の第２実施例の動作を示すフローチャートである。
　【図４】
　本発明の第３実施例の動作を示すフローチャートである。
　【図５】
　本発明の第４実施例の動作を示すフローチャートである。
　【図６】
　
第４実施例における演奏の正味時間経過の計測法
　【図
７
　本発明の第
５
　【図
８
　本発明の第
６
　【図
９
　本発明の第
６
　【符号の説明】
　１　ＭＤ
　２　着脱検知手段
　４　光学ヘッド
　６　信号変換回路
　７　トラッキングエラー検出回路
　８　フォーカスエラー検出回路
　９　ディスク回転サーボ回路
　１０　トラッキングサーボ回路
　１１　マイクロコンピュータ
　１２　ピックアップ送りサーボ回路
　１３　フォーカスサーボ回路
　１７　操作キー
　１８　タイマ回路
　１９　メモリ
　２０　温度検出回路
【図面】